(57)【特許請求の範囲】
【請求項１】
収納部と、この収納部の上部に配置され、水などを一時的に貯留するための水貯留部と、前記収納部の上面に配置された天板と、前記収納部を開閉可能に塞ぐ開閉扉とを備えた室内用家具において、
前記天板は、その表面に木目模様を備え、
前記天板に隣接する位置に配置された開閉扉は、その表面に、前記天板の木目模様と同一基調の木目模様を備えた木質素材で形成されており、
前記天板及び開閉扉は、成形セル内に最下層を構成する第１の樹脂層となる液状化した第１の樹脂を注入した後、注入された第１の樹脂の上に、この第１の樹脂層とは異なる色の第２の樹脂層となる液状化した第２の樹脂を、層状に積層させるとともに、これらの樹脂に対して櫛歯状部材を挿入し、その歯の先端を成形セルの底面に接触させつつ積層された両樹脂層を梳くように、櫛歯の整列方向と交差する方向に櫛歯状部材を移動させ、櫛歯状の歯が通過した跡に両樹脂が押しのけられることにより、底面から上方に向かって欠落して形成される複数の溝部に比較的移動し易い上層の第２の樹脂が流れ込むことにより、第１の樹脂層と第２の樹脂層とからなる櫛歯状部材の歯の通過跡ストライプ状の柄が形成された木目模様を呈するものからなり、
第１の樹脂層又は第２の樹脂層の少なくともいずれか一方の樹脂層は、セルロース系材料の微粉末の表面に、この微粉末よりも小径で、かつ硬い微粉末を担持させて作成した粉体を混合し着色することにより、木目模様を呈するように形成し、
第１の樹脂層又は第２の樹脂層の少なくともいずれか他方の樹脂層には、再生材料を混合したことを特徴とする室内用家具。
【発明の詳細な説明】
【０００１】
【発明の属する技術分野】
この発明は、天板と開閉扉の表面模様を同一基調の木目模様に形成した室内用家具に関する。
【０００２】
【従来の技術】
従来、この種の室内用家具としては、収納部と、この収納部の上部に配置され、水などを一時的に貯留するための水貯留部と、前記収納部の上面に配置された天板と、前記収納部を開閉可能に塞ぐ開閉扉とを備えたものが知られていた。そして、前記開閉扉には、無模様なものや様々な模様が施されており、これに対して、天板は、前記開閉扉とは別の材質、例えば陶器、金属などが用いられ、その表面は無模様に形成され、天板の表面模様と開閉扉の表面模様とが異なっていた。
【０００３】
【発明が解決しようとする課題】
しかし、上記した従来の室内家具では、天板の表面と開閉扉の表面模様とが異なっていたことから、家具としての一体感に欠け、また、室内内装との調和を図るにしても、天板の表面と開閉扉の表面模様とが同一基調にないことから、これらとの調和を図るのは困難であるという問題点があった。
【０００４】
そこで、請求項１記載の室内用家具は、上記した従来の技術の有する問題点に鑑みてなされたものであり、その目的とするところは、家具としての一体感に富み、室内内装との調和を採り易く、また摩耗などに強く、そりなどが生ぜず美しい外観が長期間損なわれず、かつ、加工が容易であるとともに、切断箇所も同じ木目に類した模様を呈する室内用家具を提供しようとするものである。
【０００５】
これに加え、この請求項１記載の室内用家具は、さらに木質観の高い天板及びバックガードを有し、木質観を損なうことなく、加工が容易であり、また人当たりが優しく、かつ木目調を楽しむことができる室内用家具を提供しようとするものである。
【０００６】
【課題を解決するための手段】
本発明は、上記した目的を達成するためのものであり、以下にその内容を図面に示した発明の実施の形態の一例を用いて説明する。
請求項１記載の室内用家具は、収納部(20)と、この収納部(20)の上部に配置され、水などを一時的に貯留するための水貯留部(40)と、前記収納部(20)の上面に配置された天板(30,90)と、前記収納部(20)を開閉可能に塞ぐ開閉扉(21,120)とを備えた室内用家具(10,70)において、前記天板(30,90)は、その表面に木目模様を備え、前記天板(30,90)に隣接する位置に配置された開閉扉(21,120)は、その表面に、前記天板(30,90)の木目模様と同一基調の木目模様を備えた木質素材で形成されており、前記天板(30,90)及び開閉扉(21,120)は、成形セル内に最下層を構成する第１の樹脂層(23)となる液状化した第１の樹脂を注入した後、注入された第１の樹脂の上に、この第１の樹脂層とは異なる色の第２の樹脂層(24)となる液状化した第２の樹脂を、層状に積層させるとともに、これらの樹脂に対して櫛歯状部材を挿入し、その歯の先端を成形セルの底面に接触させつつ積層された両樹脂層(23,24)を梳くように、櫛歯の整列方向と交差する方向に櫛歯状部材を移動させ、櫛歯状の歯が通過した跡に両樹脂が押しのけられることにより、底面から上方に向かって欠落して形成される複数の溝部(25)に比較的移動し易い上層の第２の樹脂が流れ込むことにより、第１の樹脂層(23)と第２の樹脂層(24)とからなる櫛歯状部材の歯の通過跡ストライプ状の柄が形成された木目模様を呈するものからなり、第１の樹脂層(23)又は第２の樹脂層(24)の少なくともいずれか一方の樹脂層は、セルロース系材料の微粉末の表面に、この微粉末よりも小径で、かつ硬い微粉末を担持させて作成した粉体を混合し着色することにより、木目模様を呈するように形成し、第１の樹脂層(23)又は第２の樹脂層(24)の少なくともいずれか他方の樹脂層には、再生材料を混合したことを特徴とする。
【０００７】
したがって、請求項１記載の室内用家具は、天板(30,90)の表面と開閉扉(21,120)の表面とには、互いに同一の基調を有する木目模様が形成されていることから、この室内用家具から、一体感あるいは纏まりといった印象を得ることができるとともに、その室内用家具(10,70)が配置されている室内内装との調和を容易に図ることができる。
【０００８】
【０００９】
また、この請求項１記載の室内用家具によれば、天板(30.90)及び開閉扉(21,120)が、第１の樹脂層(23)となる液状化した第１の樹脂を注入した後、注入された第１の樹脂の上に、この第１の樹脂層とは異なる色の第２の樹脂層(24)となる液状化した第２の樹脂を、層状に積層させるとともに、これらの樹脂に対して櫛歯状部材を挿入し、その歯の先端を成形セルの底面に接触させつつ積層された両樹脂層(23,24)を梳くように、櫛歯の整列方向と交差する方向に櫛歯状部材を移動させ、櫛歯状の歯が通過した跡に両樹脂が押しのけられることにより、底面から上方に向かって欠落して形成される複数の溝部(25)に比較的移動し易い上層の第２の樹脂が流れ込むことにより、第１の樹脂層(23)と第２の樹脂層(24)とからなる櫛歯状部材の歯の通過跡ストライプ状の柄が形成された木目模様を呈するものからなるため、天板(30,90)と開閉扉(21,120)が同じ風合いを備えるとともに、摩耗などに強く、そりなどが生ぜず美しい外観が長期間損なわれない。
【００１０】
さらに、第２の樹脂層(23)には、複数の溝部(25)が形成され、各溝部(25)内には、第１の樹脂層(23)が配置されており、木目模様は、その表面だけでなく内部にまで形成されていることから、切断や摩耗などで、内部が露出しても、表面と同じような木目模様を呈することができる。
【００１１】
ここで、「セルロース系材料の微粉末」とは天然木材のほか、おがくず等を粉砕により、微粉状の粒子に形成しているものを含むものである。このように、第１の樹脂層(23)又は第２の樹脂層(24)のいずれか一方には、セルロース系の材料が含まれているため、表面を手で触った感触が、木質感のあるものとなり、樹脂や塩化ビニル等の表面のツルッとした感触がなく、手にしっくりとなじむ良好な手触り感を得ることができる。
【００１２】
また、樹脂を有しているため、木質材と比較して、吸水性が小さく、吸湿による収縮も発生しない。これにより、木質材と比較して、反り難く、ねじれ難く、また、腐り難いという材料としての均一性に優れたものにすることができる。
したがって、この請求項１記載の室内用家具によれば、第１の樹脂層(23)又は第２の樹脂層(24)の少なくともいずれかの樹脂層に、セルロース系材料の微粉末を含有させたことから、木質観の高い室内用家具を提供することができるのである。
【００１３】
【００１４】
また、第１の樹脂層(23)又は第２の樹脂層(24)は、上述したような材質からなるため、その表面に木目模様を出すことができる。また、木質材料では原料となる天然木材の違いや、含有水分の違い等による品質のバラツキが発生するが、上記の樹脂層では、そのようなことがなく、製品のバラツキを抑えることができる。すなわち、上述した材料を用いて成形した成形品は、複雑な断面形状をなしていても木目模様を呈するので、室内の他の表面部材に木質材、またはそれに変わる木質感のあるものを使用した場合に、外観デザインを調和させる意味で、使用するのに適している。例えば、天然の木材を切削加工したのでは手間がかかるような断面形状の部材であっても、木目模様を呈する成形品として提供することができる。
【００１５】
ここで、「樹脂を着色」する材料とは、有色顔料であり、例えば酸化鉄、カドミウムイエロー、カーボンブラック等の無機顔料である。「樹脂を着色することによって木目模様を呈する」とは、上述した顔料を使用して、樹脂自体を着色しているため、表面のみではなく、内部にまで木目模様を呈するように形成しているものである。
【００１６】
そして、「粉体を混合した樹脂」からなるため、通常の木質材料よりも水分を吸収し難く、水貯留部の付近に用いて仮に水分が付着しても水分を拭き取れば済み、メンテナンスを容易にすることができるものである。すなわち、手垢等の汚れがこの化粧材の表面に付着しても濡れ雑巾で掃除することができ、汚れを除去した後、水分をふき取れば良いものである。これにより、外観上は木目模様を呈することができて木製品と同様の外観を形成することができるが、耐水性に関しては木製品と比較してはるかに水に強いものを提供できるものである。
【００１７】
したがって、この請求項１記載の室内用家具によれば、木質観を損なうことなく、更に加工の容易な天板(30,90)及び開閉扉(21,120)を得ることができる。
【００１８】
さらに、この請求項１記載の室内用家具によれば、通常外部から観察することのできない位置に配置される、第１の樹脂層(23)又は第２の樹脂層(24)のいずれか一方の樹脂層に、再生材料や低品位の材料を用いることで、全体の外観を損ねることなく、製造コストの低減が可能となるとともに、資源の有効利用を図ることができる。
【００１９】
【発明の実施の形態】
図１〜４は、本発明の実施の形態の第１の例を示すものであり、図１はバックガードを備えた流し台の斜視図、図２は流し台の要部断面図、図３は天板の断面図、図４は天板の拡大断面図を各々示す。
図２中、10は、室内用家具としての流し台を示すものであり、この流し台10は、床面に配置された、物を収納するためのキャビネット20と、このキャビネット20の上面を覆うように配置された平板状の天板30と、この天板30のほぼ中央に凹状に形成され、食器や野菜などを洗浄するための水貯留部としてのシンク40と、このシンク40の奥側の天板30の上面に配置された給水栓50と、天板30の奥側の端部に、その下端が接するように立設された、水はねや汚れ防止のためのバックガード60とを備えている。
【００２０】
前記キャビネット20は、図２に示すように、前面に開閉扉21が設けられ、開閉扉21の内部には、図には示さないが収納スペースが形成されている。前記開閉扉21は、キャビネット20に対して蝶番などの開閉具を介して開閉可能に形成され、その前面には、前面板22が設けられている。前記前面板22は、以下に詳述する方法により、第１の樹脂層23と、この第１の樹脂層23とは異なる色の第２の樹脂層24を積層し、第１の樹脂層23には、底面から上方に向かって欠落する複数の溝部25を形成し、この溝部25内に、第２の樹脂層24の一部を配置することにより形成されている。
【００２１】
そして、第１の樹脂層23は、セルロース系材料の微粉末の表面に、この微粉末よりも小径で、かつ硬い微粉末を担持させて作成した粉体が混合されている。また、この第１の樹脂層23は、液状樹脂内に、例えば酸化鉄、カドミウムイエロー、カーボンブラック等の無機顔料など不均一に分散させて、着色濃度及び色相にむらを生じさせている。
【００２２】
また、第２の樹脂層24は、前記第１の樹脂層23とは異なる色、すなわち前記第１の樹脂層23とは着色濃度又は色相のいずれか一方が異なるものが用いられている。この第２の樹脂層24は、例えばセルロース系材料の微粉末の表面に、この微粉末よりも小径で、かつ硬い微粉末を担持させて作成した粉体が混合され、これに着色を施すことにより形成されており、そして第２の樹脂層は、前記第１の樹脂層と同様に、無機顔料などを不均一に分散させることにより着色されている。
【００２３】
なお、セルロース系材料の微粉末の表面に、この微粉末よりも小径で、かつ硬い微粉末を担持させて作成した粉体が混合されることで、樹脂でありながら木の風合いに近いものを備えるとともに、切断などの加工も更に容易となる。また、樹脂が主材となっていることから、耐久性も高くなる。そして、第１の樹脂層23に形成された溝部25に、第２の樹脂層24を配置することにより、前面板22の内部にも、木目模様を呈するように形成することができる。
【００２４】
なお、第１の樹脂層23と、この第１の樹脂層23とは異なる色の第２の樹脂層24を積層し、第１の樹脂層23には、底面から上方に向かって欠落する複数の溝部25を形成し、この溝部25内に、第２の樹脂層24の一部を配置するには、例えば次のような方法がある。
まず、成形セル内に、第１の樹脂層23となる液状化した第１の樹脂を、製品の有意面で有する樹脂の流れ模様に一定方向の流れの向きを付与するようにする。
【００２５】
このように、成形セル内に、最下層を構成する液状化した第１の樹脂を注入した後、注入された第１の樹脂の上に、同じく第２の樹脂層24となる液状化した第２の樹脂を、層状に積層させる。
つぎに、前記のように成形セル内に積層するように注入した第１の樹脂層23に対応する第１の樹脂と、第２の樹脂層24に対応する第２の樹脂に対して、櫛歯状の部材を挿入し、その歯の先端を成形セルの底面に接触させつつ積層された両樹脂層を梳くように、櫛歯の整列方向と交差する方向に櫛歯状の部材を移動させる。
【００２６】
このように、櫛歯状の部材を両樹脂の中で移動させると、櫛歯状の歯が通過した跡には、両樹脂が押しのけられて溝部が形成される。その溝部25へ、比較的移動し易い上層の第２の樹脂が流れ込むこととなる。このため、櫛歯状の部材の歯の通過跡に、成形セルの底面まで上層の第２の樹脂が流れ込むことから、底面を有意面とした場合に、櫛歯状の部材の歯の通過跡ストライプ状の柄が形成されることとなる。このような方法で、第１の樹脂層23と第２の樹脂層24とを積層させることから、前面板22を形成することにより、樹脂でありながら、内部にまで木目模様を呈することができる。
【００２７】
前記天板30は、前記開閉扉21の前面板22と同様の方法で形成されていることから、前記開閉扉21の前面板22と同様に、その表面模様は、木目調であり、同一の基調を有することから流し台10全体が一体感を有し、まとまった印象を見る者に与えることができる。また、その内部にも同様に木目模様を備え、摩耗や切断されても同様の木目模様が露出するように形成されていることから、切断や経年による摩耗などが生じても前記した一体感あるいはまとまりといった印象が変化することかがない。
【００２８】
また、前記天板は、図１及び図３に示すように、手前側の端部は、曲面状、例えば断面が円弧状に形成されている。このため、キャビネットの前での作業中に、作業者が天板に寄りかかった状態となっても、尖った部分がないために、痛みを感じたりせず、ソフトな感触が得られ、作業を妨げることがない。
なお、バックガード60を、前記前面板22及び天板30と同様の材料を用いるようにすれば、表面の模様が同一の基調を有する木目模様を呈するとともに、摩耗などによっても同じ木目模様を維持することができるので、更に一体感やまとまりが向上することとなる。
【００２９】
つぎに、実施の形態の第２の例について説明する。
図５,６は、本発明の実施の形態の第２の例を示すものであり、図５は洗面台の斜視図、図６は洗面台の要部断面図を各々示す。
図５中、70は、室内用家具としての洗面台を示すものであり、この洗面台70は、床面に配置されたキャビネット80と、このキャビネット80の上面を覆うように配置された平板状の天板90と、この天板90のほぼ中央に形成された孔にはめ込まれた、水貯留部としての陶器製の洗面器100と、この洗面器100の奥方に設置された給水栓とを備えている。
【００３０】
前記キャビネット80は、実施の形態の第１の例と同様に、収納スペース（図示せず）と、この収納スペースの前方を開閉可能に塞ぐ、開閉扉120とを備えている。前記開閉扉120は、図には示さないが、蝶番などの開閉具を介して開閉可能に形成され、その前面には、前面板121が設けられている。
【００３１】
この前面板121は、実施の形態の第１の例と同様に、第１の樹脂層23と、この第１の樹脂層23とは異なる色の第２の樹脂層24を積層し、第１の樹脂層23には、底面から上方に向かって欠落する複数の溝部25を形成し、この溝部25内に、第２の樹脂層24の一部を配置することにより形成されている。なお、第１の樹脂層23及び第２の樹脂層24については、前記実施の形態の第１の例と同様の構成を備えていることから、その説明を省略する。
【００３２】
前記天板90は、前記実施の形態の第１の例と同様に、前記開閉扉120の前面板121と同様の方法で形成されていることから、前記開閉扉121と同じく、その表面模様は、木目調であって、前記開閉扉120の前面板121の表面模様と同一の基調を呈しているとともに、その内部にも同様に木目模様を備え、摩耗や切断されても同様の木目模様が露出するように形成されている。
【００３３】
なお、上記した実施の形態では、第１の樹脂層23及び第２の樹脂層24は、セルロース系材料の微粉末の表面に、この微粉末よりも小径で、かつ硬い微粉末を担持させて作成した粉体が混合されているが、異なる実施の形態では、第１の樹脂層23又は第２の樹脂層24のいずれか一方に、セルロース系材料の微粉末の表面に、この微粉末よりも小径で、かつ硬い微粉末を担持させて作成した粉体が混合されたものであればよい。
【００３４】
また、異なる実施の形態においては、第１の樹脂層23又は第２の樹脂層24の少なくともいずれか一方の樹脂層は、メチルメタアクリレートを主材とするものを用いたものであってもよい。主材にメチルメタアクリレートを用いることで、強度、耐熱性、耐久性、加工性の程度が更に向上する。
【００３５】
【発明の効果】
本発明は、以上のように構成されているので、以下に記載されるような効果を奏する。
請求項１記載の室内用家具によれば、家具としての一体感に富み、室内内装との調和を採り易い室内家具を提供することができる。
【００３６】
これに加え、この請求項１記載の室内用家具によれば、摩耗などに強く、そりなどが生ぜず美しい外観が長期間損なわれず、かつ、加工が容易であるとともに、切断箇所も同じ木目に類した模様を呈し、木質観の高い天板及びバックガードを有する室内用家具を提供することができる。
【００３７】
また、この請求項１記載の室内用家具によれば、木質観を損なうことなく、更に加工の容易な天板及びバックガードを有し、さらに人当たりが優しく、かつ木目調を楽しむことのできる天板を備えた室内用家具を提供することができる。
【図面の簡単な説明】
【図１】  バックガードを備えた流し台の斜視図である。
【図２】  流し台の要部断面図である。
【図３】  図３の天板の断面図である。
【図４】  天板の拡大断面図である。
【図５】  実施の形態の第２の洗面台の斜視図である。
【図６】  洗面台の要部断面図である。
【符号の説明】
10…流し台、20…キャビネット、21…開閉扉、22…前面板、23…第１の樹脂層、24…第２の樹脂層、25…溝部、30…天板、40…シンク、50…給水栓、60…バックガード、70…洗面台、80…キャビネット、90…天板、100…洗面器、120…開閉扉、121…前面板。
【図１】
0004135165.tif 000002
【図２】
0004135165.tif 000003
【図３】
0004135165.tif 000004
【図４】
0004135165.tif 000005
【図５】
0004135165.tif 000006
【図６】
0004135165.tif 000007